(57)【特許請求の範囲】
【請求項１】
隣り合う第１，第２の建築部材と、これら第１，第２の建築部材を結合する結合部材とを備えた構造であって、前記結合部材は、前記第１の建築部材に固定される第１の固定部と、前記第２の建築部材に固定される第２の固定部とを備え、
前記第２の固定部は、前記第１の固定部を中心とする回動により、該第２の固定部が固定されるべき第２の建築部材に予め形成されたスリットに対し第２の建築部材を移動させることなくスライド進入およびスライド退避可能な平板として構成され、かつ、この平板には、該平板に対し直交方向に、前記第２の建築部材に形成されたピン穴に挿入されるピンによって第２の建築部材に固定されるピン固定部が設けられ、
前記第２の固定部は、前記第１の固定部の両側に一対設けられていることを特徴とする建築用結合構造。
【請求項２】
隣り合う第１，第２の建築部材と、これら第１，第２の建築部材を結合する結合部材とを備えた構造であって、前記結合部材は、前記第１の建築部材に固定される第１の固定部と、前記第２の建築部材に固定される第２の固定部とを備え、
前記第１，第２の固定部は一体の平板として構成され、
前記第１の固定部は、前記第１の建築部材に設けられた第１のスリット内に回動可能に配置され、前記第１の建築部材に設けられた挿通口に挿通され回動操作される工具と係合する係合部と、第１の建築部材に形成されたピン穴に挿入されるピンによって第１の建築部材に固定される第１の係合穴とを有し、
前記第２の固定部は、前記第１の固定部を中心とする回動により、前記第２の建築部材に設けられた第２のスリットに対してスライド進入およびスライド退避可能であるとともに前記第１のスリット内に収納可能であり、かつ第２の建築部材に形成されたピン穴に挿入されるピンによって第２の建築部材に固定される第２の係合穴を有し、
前記第１の固定部は、前記第１のスリット内に収納された第２の固定部の第１のスリットからの突出を防止するための、前記第１の建築部材に形成されたピン穴に挿入されるピンによって固定される、突出防止用ピン固定部を有し、
前記第１の係合穴は前記工具との係合部から離間して設けられ、前記第２の係合穴は前記第１の係合穴よりもさらに前記係合部から離間して設けられ、
前記第１の係合穴と第２の固定部の突出防止用ピン固定部は、工具との係合部から等距離に設けられており、第１の係合穴と前記係合部とを結ぶ線と、第２の固定部の突出防止用ピン固定部と前記係合部とを結ぶ線とがなす角度が９０度となっていることを特徴とする建築用結合構造。
【請求項３】
請求項１において、
前記第１，第２の固定部は一体の平板として構成され、
前記第１の固定部は、前記第１の建築部材に設けられた第１のスリット内に回動可能に配置され、
第２の固定部は、第１の固定部を中心とする回動により前記スリットに対してスライド進入およびスライド退避可能であり、
前記第１の固定部には、前記第１の建築部材に設けられた挿通口に挿通され回動操作される工具と係合する係合穴と、第１の建築部材に形成されたピン穴に挿入されるピンによって第１の建築部材に固定されるピン固定部とが設けられていることを特徴とする建築用結合構造。
【請求項４】
請求項１または３において、
前記第２の固定部は、前記第１の固定部が配置される第１の建築部材に設けられた第１のスリット内に収納可能であることを特徴とする建築用結合構造。
【請求項５】
請求項４において、
前記第１の建築部材と結合部材との間には、第１のスリット内に収納された第２の固定部の第１のスリットからの突出を防止する突出防止手段が設けられることを特徴とする建築用結合構造。
【請求項６】
請求項３において、
前記第２の固定部は、前記第１の固定部が配置される第１の建築部材に設けられた第１のスリット内に収納可能であり、
前記第１の固定部は、前記第１のスリット内に収納された第２の固定部の第１のスリットからの突出を防止するための、前記第１の建築部材に形成されたピン穴に挿入されるピンによって固定される、突出防止用ピン固定部を有していることを特徴とする建築用結合構造。
【請求項７】
請求項２において、
前記第２の固定部は、前記第１の固定部の両側に一対設けられていることを特徴とする建築用結合構造。
【請求項８】
請求項１、３〜７のうちいずれか一項において、
前記第１、第２の固定部は一体となって回動およびスライドが可能であり、第２の固定部に設けられるピン固定部は、前記ピンの軸線方向から見て、前記第１第２の固定部の回動方向およびスライド方向に伸び、回動方向一端が開口したＬ字形の穴で構成されることを特徴とする建築用結合構造。
【請求項９】
左右に伸びる上下の横架材と、これら上下の横架材を連結する柱または壁材と、上下の横架材と柱または壁材とで区画される空間に、該空間を塞ぐように設けられるパネルとを備えた建築構造体であって、
前記パネルと柱または壁材とが、および／または前記パネルと上下の横架材とが、前記請求項１〜８のうちいずれか一項に記載の建築用結合構造によって結合されていることを特徴とする建築構造体。
【請求項１０】
回動中心を構成する、工具との係合部と、この係合部から離間して設けられた、ピンと係脱可能な第１の係合穴と、この第１の係合穴よりもさらに前記係合部から離間して設けられた、ピンと係脱可能な第２の係合穴とを有し、
前記第１の係合穴と第２の固定部の突出防止用ピン固定部は、工具との係合部から等距離に設けられており、第１の係合穴と前記係合部とを結ぶ線と、第２の固定部の突出防止用ピン固定部と前記係合部とを結ぶ線とがなす角度が９０度となっていることを特徴とする結合部材。
【請求項１１】
請求項１０において、
前記第２の係合穴は、前記工具との係合部の両側に一対設けられていることを特徴とする結合部材。
【請求項１２】
請求項１０または１１において、
前記第２の係合穴は、この結合部材の縁部に一端が開口したＬ字形の穴で構成されているることを特徴とする結合部材。
【発明の詳細な説明】
【技術分野】
【０００１】
本発明は、隣り合う第１，第２の建築部材を結合するための建築用結合構造、これを用いた建築構造体、および結合部材に関するものである。
【背景技術】
【０００２】
従来、例えば特許文献１に見られるように、左右に伸びる上下の横架材（８）（８）と、これら上下の横架材を連結する柱（７）（７）と、上下の横架材（８）（８）と柱（７）（７）とで区画される空間（９）に、該空間（９）を塞ぐように設けられるパネル（耐力壁ブロック）（６）とを備えた建築構造が知られている。耐力壁ブロック（６）と構造柱（７）及び横架材（８）とは締結金物（１０）にて相互に連結されている（同文献００２４段落）。
したがって、この建築構造において、耐力壁ブロック（６）を交換したいという要請があった場合には、耐力壁ブロック（６）と構造柱（７）及び横架材（８）との締結金物（１０）による相互連結を解除することによって、耐力壁ブロック（６）を交換することが可能である。
すなわち、同文献図３に見られるように、柱（７）の外側に締結金物（１０）を操作することが可能な空間があれば、締結金物（１０）による相互連結を解除することによって、耐力壁ブロック（６）を交換することが可能である。
しかし、逆に言えば、柱（７）の外側に締結金物（１０）を操作するに足るだけの空間がない場合（例えば柱（７）の両側に耐力壁ブロック（６）が配置された場合）には、締結金物（１０）による相互連結を解除するができず、したがって、耐力壁ブロック（６）を交換することは不可能である。
【０００３】
また、従来、例えば特許文献２（図６）に見られるように、隣り合う建築部材である木質壁単体（２０）（２０）および横架材（１０（または６０））を結合するためのプレートであって、上記各建築部材に設けられた切り込み（２０ｃ等）に入り込み、各建築部材に形成されたピン穴（２０ｄ等）に挿入されるピン（１１５等）によって各建築部材に固定されるピン固定部が設けられているプレート（１００）が知られている。
このようなプレート（１００）を用いた建築構造において、一部の木質壁単体（２０）のみを交換したいという要請があった場合、当該木質壁単体（２０）の左右又は上下に当該木質壁単体（２０）をスライド移動させるスペースがあれば、当該木質壁単体（２０）とプレート（１００）とを固定しているピンを抜き、当該木質壁単体（２０）をスライド移動させて当該木質壁単体（２０）の切り込み（２０ｃ）からプレート（１００）を外すことによって当該木質単体（２０）を取り外すことが可能である。
しかし、通常、同文献の図６に見られるように、木質壁単体（２０）の左右および上下には隣接する木質壁単体（２０）および横架材（１０，６０）が配置されているため、プレート（１００）からピンを抜いても、当該木質壁単体（２０）をスライド移動させることはできない。したがって、一部の木質壁単体（２０）のみを交換することは困難である。
【先行技術文献】
【特許文献】
【０００４】
【特許文献１】特開平９−１８４１９７号公報
【特許文献２】特開２００４−１４３９１１号公報
【発明の概要】
【発明が解決しようとする課題】
【０００５】
本発明が解決しようとする課題は、相隣接する建築部材同士の、ピンを用いた結合および解除が容易で、しかも、結合解除時の建築部材のピンの軸線方向への移動を可能とする建築用結合構造を提供することである。
また、本発明が解決しようとする課題は、左右に伸びる上下の横架材と、これら上下の横架材を連結する柱または壁材と、上下の横架材と柱または壁材とで区画される空間に、該空間を塞ぐように設けられるパネルとを備えた建築構造体であって、前記空間からパネルを容易に取り外すことができる建築構造体を提供することである。
また、本発明が解決しようとする課題は、建築用結合構造に適した結合部材を提供することである。
【課題を解決するための手段】
【０００６】
上記課題を解決するために本発明の建築用結合構造は、
隣り合う第１，第２の建築部材と、これら第１，第２の建築部材を結合する結合部材とを備えた構造であって、前記結合部材は、前記第１の建築部材に固定される第１の固定部と、前記第２の建築部材に固定される第２の固定部とを備え、
前記第２の固定部は、前記第１の固定部を中心とする回動により、該第２の固定部が固定されるべき第２の建築部材に予め形成されたスリットに対し第２の建築部材を移動させることなくスライド進入およびスライド退避可能な平板として構成され、かつ、この平板には、該平板に対し直交方向に、前記第２の建築部材に形成されたピン穴に挿入されるピンによって第２の建築部材に固定されるピン固定部が設けられ、
前記第２の固定部は、前記第１の固定部の両側に一対設けられていることを特徴とする。
この建築用結合構造によれば、結合部材の第１の固定部を第１の建築部材に固定し、第２の固定部を第２の建築部材に固定することによって、隣り合う第１，第２の建築部材を結合部材で結合することができる。
結合部材の第２の固定部は、該第２の固定部が固定されるべき第２の建築部材に予め形成されたスリットに対し第２の建築部材を移動させることなくスライド進入およびスライド退避可能な平板として構成され、かつ、この平板には、該平板に対し直交方向に、前記第２の建築部材に形成されたピン穴に挿入されるピンによって第２の建築部材に固定されるピン固定部が設けられているので、第２の固定部と第２の建築部材とは、第２の固定部を第２の建築部材のスリットにスライド進入させ、第２の建築部材に形成されたピン穴にピンを挿入することによって固定することができる。
また、第２の固定部と第２の建築部材との固定解除は、上記ピンを抜き、第２の固定部を第２の建築部材のスリットからスライド退避させることによって行うことができる。
第２の固定部は平板として構成されているので、この平板が第２の建築部材のスリットからスライド退避した状態では、第２の建築部材は上記ピンの軸線方向への移動が可能となる。
以上のように、この建築用結合構造によれば、相隣接する建築部材同士の、ピンを用いた結合および解除が容易で、しかも、結合解除時の建築部材のピンの軸線方向への移動が可能となる。
第２の建築部材に対する第２の固定部による固定を全て解除すれば、第２の建築部材は、前記ピンの軸線方向へ移動させることによって、本発明に係る建築用結合構造を用いた建築構造体から取り外すことができる。
前記第２の固定部は、前記第１の固定部の両側に一対設けられているので、一つの結合部材で、第１の建築部材の両側に第２の建築部材を同時に結合することができる。
前記第２の固定部は、前記第１の固定部を中心とする回動により前記スリットに対してスライド進入およびスライド退避可能である構成となっているので、少ないスペースで、かつ簡単な構造で、第２の固定部の第２の建築部材に対するスライド進入およびスライド退避を可能とすることができる。
【０００７】
また、上記課題を解決するために本発明の建築用結合構造は、
隣り合う第１，第２の建築部材と、これら第１，第２の建築部材を結合する結合部材とを備えた構造であって、前記結合部材は、前記第１の建築部材に固定される第１の固定部と、前記第２の建築部材に固定される第２の固定部とを備え、
前記第１，第２の固定部は一体の平板として構成され、
前記第１の固定部は、前記第１の建築部材に設けられた第１のスリット内に回動可能に配置され、前記第１の建築部材に設けられた挿通口に挿通され回動操作される工具と係合する係合部と、第１の建築部材に形成されたピン穴に挿入されるピンによって第１の建築部材に固定される第１の係合穴とを有し、
前記第２の固定部は、前記第１の固定部を中心とする回動により、前記第２の建築部材に設けられた第２のスリットに対してスライド進入およびスライド退避可能であるとともに前記第１のスリット内に収納可能であり、かつ第２の建築部材に形成されたピン穴に挿入されるピンによって第２の建築部材に固定される第２の係合穴を有し、
前記第１の固定部は、前記第１のスリット内に収納された第２の固定部の第１のスリットからの突出を防止するための、前記第１の建築部材に形成されたピン穴に挿入されるピンによって固定される、突出防止用ピン固定部を有し、
前記第１の係合穴は前記工具との係合部から離間して設けられ、前記第２の係合穴は前記第１の係合穴よりもさらに前記係合部から離間して設けられ、
前記第１の係合穴と第２の固定部の突出防止用ピン固定部は、工具との係合部から等距離に設けられており、第１の係合穴と前記係合部とを結ぶ線と、第２の固定部の突出防止用ピン固定部と前記係合部とを結ぶ線とがなす角度が９０度となっていることを特徴とする。
このように構成すると、特定のピンに対し、第１の係合穴によって第１の固定部のピン固定部を構成できると同時に第２の固定部の突出防止用ピン固定部を好適に構成することができる。
【０００８】
この建築用結合構造においては、
前記第１，第２の固定部は一体の平板として構成され、
前記第１の固定部は、前記第１の建築部材に設けられた第１のスリット内に回動可能に配置され、
第２の固定部は、第１の固定部を中心とする回動により前記スリットに対してスライド進入およびスライド退避可能であり、
前記第１の固定部には、前記第１の建築部材に設けられた挿通口に挿通され回動操作される工具と係合する係合穴と、第１の建築部材に形成されたピン穴に挿入されるピンによって第１の建築部材に固定されるピン固定部とが設けられている構成とすることができる。
このように構成すると、少ないスペースで、かつ簡単な構造で、第２の固定部の第２の建築部材に対するスライド進入およびスライド退避を可能とすることができる。
【０００９】
この建築用結合構造においては、
前記第２の固定部は、前記第１の固定部が配置される第１の建築部材に設けられた第１のスリット内に収納可能である構成とすることができる。
このように構成すると、建築用結合構造の外部から結合部材を見えにくくすることができる。
【００１０】
この建築用結合構造においては、
前記第１の建築部材と結合部材との間には、第１のスリット内に収納された第２の固定部の第１のスリットからの突出を防止する突出防止手段が設けられる構成とすることができる。
このように構成すると、建築部材の取付取り外し作業中に不用意に第２の固定部が突出することがなくなるので、作業性が向上する。
【００１１】
この建築用結合構造においては、
前記第２の固定部は、前記第１の固定部が配置される第１の建築部材に設けられた第１のスリット内に収納可能であり、
前記第１の固定部は、前記第１のスリット内に収納された第２の固定部の第１のスリットからの突出を防止するための、前記第１の建築部材に形成されたピン穴に挿入されるピンによって固定される、突出防止用ピン固定部を有している構成とすることができる。
このように構成すると、建築用結合構造の外部から結合部材を見えにくくすることができると同時に建築部材の取付取り外し作業中の不用意な第２の固定部の突出を防止して作業性を向上させることができ、しかも、第１の固定部のピン固定部を固定するピンのためのピン穴を、突出防止用ピン固定部を固定するピンのためのピン穴としても利用することがが可能となる。
【００１２】
この建築用結合構造においては、
前記第２の固定部は、前記第１の固定部の両側に一対設けられている構成とすることができる。
このように構成すると、一つの結合部材で、第１の建築部材の両側に第２の建築部材を同時に結合することができる。
【００１３】
この建築用結合構造においては、
前記第１第２の固定部は一体となって回動およびスライドが可能であり、第２の固定部に設けられるピン固定部は、前記ピンの軸線方向から見て、前記第１第２の固定部の回動方向およびスライド方向に伸び、回動方向一端が開口したＬ字形の穴で構成することができる。
このように構成すると、第２の固定部に対するピンを抜かなくても、該ピンが前記Ｌ字形の穴に沿うように、第１第２の固定部をスライドおよび回動させることで第２の固定部とそのピンとの係合を解除することができる。
したがって、構造体構築後に前記第２の固定部のピンを抜くことが困難になるような場合でも、第１の建築部材と第２の建築部材との結合を解除することが可能となる。
【００１４】
上記課題を解決するために本発明の建築構造は、
左右に伸びる上下の横架材と、これら上下の横架材を連結する柱または壁材と、上下の横架材と柱または壁材とで区画される空間に、該空間を塞ぐように設けられるパネルとを備えた建築構造であって、
前記パネルと柱または壁材とが、および／または前記パネルと上下の横架材とが、前記請求項１〜８のうちいずれか一項に記載の建築用結合構造によって結合されていることを特徴とする。
この建築構造によれば、少なくとも、前記パネルと柱または壁材とが、または前記パネルと上下の横架材とが、前記請求項１〜８のうちいずれか一項に記載の建築用結合構造によって結合されているので、左右に伸びる上下の横架材と、これら上下の横架材を連結する柱または壁材とで区画される空間に、該空間を塞ぐように設けられるパネルを容易に取り外し、取り付けることが可能となる。
すなわち、前記上下の横架材と柱または壁材とで構成される枠組みを解体することなくパネルを交換することが可能となる。
【００１５】
上記課題を解決するために本発明の結合部材は、
回動中心を構成する、工具との係合部と、この係合部から離間して設けられた、ピンと係脱可能な第１の係合穴と、この第１の係合穴よりもさらに前記係合部から離間して設けられた、ピンと係脱可能な第２の係合穴とを有し、
前記第１の係合穴と第２の固定部の突出防止用ピン固定部は、工具との係合部から等距離に設けられており、第１の係合穴と前記係合部とを結ぶ線と、第２の固定部の突出防止用ピン固定部と前記係合部とを結ぶ線とがなす角度が９０度となっていることを特徴とする。
このように構成すると、第１の係合穴で前記第１の固定部を構成でき、第２の係合穴で前記第２の固定部を構成できるため、平板状の単純な構造で、前記建築用結合構造に適した結合部材を構成することができる。
【００１６】
また、前記第１の係合穴と第２の固定部の突出防止用ピン固定部は、工具との係合部から等距離に設けられており、第１の係合穴と前記係合部とを結ぶ線と、第２の固定部の突出防止用ピン固定部と前記係合部とを結ぶ線とがなす角度が９０度となっているので、特定のピンに対し、第１の係合穴によって第１の固定部のピン固定部を構成できると同時に第２の固定部の突出防止用ピン固定部を好適に構成することができる。
【００１７】
この結合部材においては、
前記第２の係合穴は、前記工具との係合部の両側に一対設けられている構成とすることができる。
このように構成すると、簡単な構造で容易に、前記第１の固定部の両側に一対の第２の固定部を設けることが可能となる。
【００１８】
この結合部材においては、
前記第２の係合穴は、この結合部材の縁部に一端が開口したＬ字形の穴で構成することができる。
このように構成すると、前記第１第２の固定部の回動方向およびスライド方向に伸び、回動方向一端が開口したＬ字形の穴を有する結合部材を容易に得ることができる。
【図面の簡単な説明】
【００１９】
【図１】本発明に係る建築用結合構造、および結合部材の実施の形態を示す図で、（ａ）は部分切断正面図（図（ｂ）におけるａ−ａ断面図）、（ｂ）は側面図。
【図２】同じく作動説明図で、ａ）は部分切断正面図（図（ｂ）におけるａ−ａ断面図）、（ｂ）は側面図。
【図３】本発明に係る結合部材の実施の形態を示す図で、（ａ）は正面図、（ｂ）はｂ−ｂ断面図、（ｃ）はｃ−ｃ断面図、（ｄ）はｄ−ｄ断面図。
【図４】結合部材の変形例を示す図で、（ａ）は正面図、（ｂ）はｂ−ｂ断面図、（ｃ）はｃ−ｃ断面図、（ｄ）はｄ−ｄ断面図。
【図５】工具の一例を示す図で、（ａ）は正面図、（ｂ）は側面図。
【図６】本発明に係る建築用結合構造、および結合部材の他の実施の形態を示す図で、（ａ）は部分切断正面図（図（ｂ）におけるａ−ａ断面図）、（ｂ）は側面図。
【図７】本発明に係る結合部材の他の実施の形態を示す図で、（ａ）は正面図、（ｂ）はｂ−ｂ断面図、（ｃ）はｃ−ｃ断面図、（ｄ）はｄ−ｄ断面図。
【図８】本発明に係る建築用結合構造、および結合部材のさらなる他の実施の形態および作動を示す図で、（ａ）は部分切断正面図（図（ｂ）におけるａ−ａ断面図）、（ｂ）は側面図。
【図９】同じく（ａ）は部分切断正面図（図（ｂ）におけるａ−ａ断面図）、（ｂ）は側面図。
【図１０】本発明に係る結合部材のさらなる他の実施の形態を示す図で、（ａ）は正面図、（ｂ）はｂ−ｂ断面図。
【図１１】本発明に係る建築構造体の実施の形態を示す部分正面図。
【図１２】同じく他の実施の形態を示す部分正面図。
【図１３】同じくさらなる他の実施の形態を示す部分正面図。
【図１４】同じくさらなる他の実施の形態を示す部分正面図。
【図１５】同じくさらなる他の実施の形態を示す部分正面図。
【図１６】同じくさらなる他の実施の形態を示す部分正面図。
【図１７】横架材と柱との連結部材の一例を示す図で、（ａ）は部分切断正面図（図（ｂ）におけるａ−ａ断面図）、（ｂ）は図（ａ）におけるｂ−ｂ断面図、（ｃ）は柱の部分斜視図。
【図１８】横架材と柱との連結部材の他の例を示す図で、（ａ）は部分正面図、（ｂ）は部分側面図、（ｃ）は概略斜視図。
【図１９】本発明に係る結合部材のさらなる他の実施の形態を示す正面図。結合部材３０
【図２０】本発明に係る建築構造体の実施の形態を示す部分正面図。
【図２１】同じくさらなる他の実施の形態を示す部分正面図。
【図２２】パネル４５の変形例を示す図で、（ａ）は部分切断正面図（図（ｂ）におけるａ−ａ断面図）、（ｂ）は図（ａ）におけるｂ−ｂ断面図。
【図２３】パネル４５の他の変形例を示す図で、（ａ）は部分省略正面図、（ｂ）は図（ａ）におけるｂ−ｂ断面図。
【図２４】横架材と柱との連結部材の他の例を示す図で、（ａ）は部分切断正面図（図（ｂ）におけるａ−ａ断面図）、（ｂ）は図（ａ）におけるｂ−ｂ断面図。
【発明を実施するための形態】
【００２０】
以下、本発明に係る建築用結合構造、これを用いた建築構造体、および結合部材の実施の形態について図面を参照して説明する。なお、各図において、同一部分ないし相当する部分には、同一の符号を付してある。
【００２１】
図１に示すように、この実施の形態の建築用結合構造は、隣り合う第１，第２の建築部材１０，２０と、これら第１，第２の建築部材１０，２０を結合する結合部材３０とを備えた構造である。
【００２２】
図３にも示すように、結合部材３０は、第１の建築部材１０に固定される第１の固定部３１と、第２の建築部材２０に固定される第２の固定部３２とを備えている。
【００２３】
第２の固定部３２は、該第２の固定部３２が固定されるべき第２の建築部材２０に予め形成されたスリット２１に対し第２の建築部材２０を移動させることなくスライド進入およびスライド退避可能な平板として構成され、かつ、この平板には、該平板に対し直交方向に、第２の建築部材２０に形成されたピン穴２２に挿入されるピン２３によって第２の建築部材２０に固定されるピン固定部３２ｐが設けられている。
【００２４】
この建築用結合構造によれば、結合部材３０の第１の固定部３１を第１の建築部材１０に固定し、第２の固定部３２を第２の建築部材２０に固定することによって、隣り合う第１，第２の建築部材１０，２０を結合部材３０で結合することができる。
【００２５】
結合部材３０の第２の固定部３２は、第２の固定部３２が固定されるべき第２の建築部材２０に予め形成されたスリット２１に対し第２の建築部材２０を移動させることなくスライド進入およびスライド退避可能な平板として構成され、かつ、この平板には、該平板に対し直交方向に、第２の建築部材２０に形成されたピン穴２２に挿入されるピン２３によって第２の建築部材２０に固定されるピン固定部３２ｐが設けられているので、第２の固定部３２と第２の建築部材２０とは、第２の固定部３２を第２の建築部材２０のスリット２１にスライド進入させ、第２の建築部材２０に形成されたピン穴２２にピン２３を挿入することによって固定することができる。
【００２６】
また、第２の固定部３２と第２の建築部材２０との固定解除は、上記ピン２３を抜き、図１（ａ）に破線で示すように、また図２に実線で示すように第２の固定部３２を第２の建築部材２０のスリット２１からスライド退避させることによって行うことができる。
【００２７】
結合部材３０の第２の固定部３２は平板として構成されているので、図２に示すように平板（３２）が第２の建築部材２０のスリット２１からスライド退避した状態では、第２の建築部材２０はピン２３の軸線方向（図２（ｂ）において矢印Ｙ１，Ｙ２方向であり、図２（ａ）において紙面と直交する方向）への移動が可能となる。
【００２８】
以上のように、この建築用結合構造によれば、相隣接する建築部材１０，２０同士の、ピン２３を用いた結合および解除が容易で、しかも、結合解除時の建築部材２０のピン２３の軸線方向への移動が可能となる。
【００２９】
したがって、例えば図１１を参照して後述する建築構造体４０に関し、第２の建築部材２０に対する結合部材３０の第２の固定部３２による固定を全て解除すれば、第２の建築部材２０は、ピン２３の軸線方向へ移動させることによって、建築構造体４０から取り外すことができる。
したがって、第１の建築部材１０、第２の建築部材２０を用いた建築構造体４０の解体が容易になるとともに、第１の建築部材１０，第２の建築部材２０の再利用も容易になり、一部の第２の建築部材２０の交換も容易に行うことができる。
【００３０】
図１（ａ）および図２（ａ）に実線および破線で示すように、結合部材３０の第２の固定部３２は、第１の固定部３１を中心とする回動により前記スリット２１に対してスライド進入およびスライド退避可能である。
このように構成すると、少ないスペースで、かつ簡単な構造で、第２の固定部３２の第２の建築部材２０に対するスライド進入およびスライド退避を可能とすることができる。
【００３１】
図１、図３に示すように、結合部材３０の第１，第２の固定部３１，３２は一体の平板として構成されている。
第１の固定部３１は、第１の建築部材１０に設けられた第１のスリット１１内に回動可能に配置される。
第２の固定部３２は、第１の固定部３１を中心とする回動により前記スリット（以下第２のスリットともいう）２１に対してスライド進入およびスライド退避可能である。
第１の固定部３１には、第１の建築部材１０に設けられた挿通口１３に挿通され回動操作される工具（図４）と係合する係合穴３１ｈと、第１の建築部材１０に形成されたピン穴１２に挿入されるピン２３によって第１の建築部材１０に固定されるピン固定部３１ｐとが設けられている。
このように構成すると、少ないスペースで、かつ簡単な構造で、第２の固定部３２の第２の建築部材２０に対するスライド進入およびスライド退避を可能とすることができる。
【００３２】
工具５０は、例えば図５に示すように、基部５１と、この基部５１に一体に立設された係合棒５２と、基部５１に一体的に設けたハンドル５３とを備えた構成とすることができる。
この実施の形態では、係合棒５２を角柱状とし、結合部材３０の第１の固定部３１の係合穴３１ｈを角穴としたが、係合棒５２の断面形状と係合穴３１ｈの形状は、係合可能な形状であれば任意の形状を採用することができる。例えば、６角、８角、楕円等を採用することも可能である。
【００３３】
工具５０の係合棒５２を第１の建築部材１０の挿通口１３（図１）に挿通して結合部材３０の係合穴３１ｈに係合させ（嵌め合わせ）、係合棒５２を中心にしてハンドル５３を回すことによって、スリット内ある結合部材３０を係合棒５２（係合穴３１ｈ）回りに回動させることができる。
【００３４】
第１の建築部材１０のピン穴１２、第２の建築部材２０のピン穴２２はいずれも貫通孔である。
第１の建築部材１０の挿通口１３も貫通孔である。
これらの貫通孔１２，２２，１３は同径とする。
【００３５】
図１（ａ）に破線で、図２（ａ）に実線で示すように、結合部材３０の第２の固定部３２は、第１の固定部３１が配置される第１の建築部材１０に設けられた第１のスリット１１内に収納可能である。すなわち、第１の建築部材１０の第１のスリット１１は、結合部材３０全体を収納可能な大きさに形成する。
このように構成すると、建築用結合構造の外部から結合部材３０を見えにくくすることができる。
【００３６】
第１の建築部材１０と結合部材３０との間には、第１のスリット１１内に収納された第２の固定部３２の第１のスリット１１からの突出を防止する突出防止手段３３が設けられる。
突出防止手段３３は、例えば、図２（ａ）に実線で示すように第１のスリット１１内に収納された第２の固定部３２のピン固定部（穴）３２ｐにピン２３を打ち込むためのピン挿入穴１４（図２（ｂ））を第１の建築部材１０に設けることによって構成することができる。
突出防止手段３３を設けると、建築部材の取付取り外し作業中に不用意に第２の固定部３２が第１のスリット１１から突出することがなくなるので、作業性が向上する。
【００３７】
上述したように、突出防止手段３３は、例えば、図２（ａ）に実線で示すように第１のスリット１１内に収納された第２の固定部３２のピン固定部（穴）３２ｐにピン２３を打ち込むためのピン挿入穴１４を第１の建築部材１０に設けることによって構成することも可能である。
【００３８】
しかしそのようにすると、第１の建築部材１０に対し、上記ピン穴１２以外に、突出防止手段３３のためのピン穴１４を別途設けなければならなくなる。
【００３９】
そこでこの実施の形態では、結合部材３０の第１の固定部３１に、第１のスリット１１内に収納された第２の固定部３２の第１のスリット１１からの突出を防止するための、前記第１の建築部材１０に形成されたピン穴１２に挿入されるピン２３によって固定される、突出防止用ピン固定部３３ｈ（図３）を設けた。
【００４０】
このように構成すると、第１の固定部３１のピン固定部３１ｐを固定するピン２３のためのピン穴１２を、突出防止用ピン固定部３３ｈを固定するピン（２３）のためのピン穴としても利用することが可能となる。
【００４１】
より詳しく説明すると、図１に実線で示すような固定状態から、４本のピン２３を抜き取り、工具５０で結合部材３０を反時計回りに９０度回動させて図２に実線で示すように第２の固定部３２を第１のスリット１１内に収納した後、第１の固定部３１のピン穴１２および突出防止用ピン固定部３３ｈにピン２３を挿入することによって結合部材３０を仮止め状態とし、第２の固定部３２の第１のスリット１１からの突出を防止することができる。
【００４２】
図６，図７に示すように、結合部材３０の第２の固定部３２は、第１の固定部３１の両側に一対設けられている構成とすることができる。
このように構成すると、一つの結合部材３０で、第１の建築部材１０の両側に第２の建築部材２０を同時に結合することができる。
【００４３】
図８〜図１０に示す結合部材３０は、その第１第２の固定部３１，３２が一体となって回動およびスライドが可能であり、第２の固定部３２に設けられるピン固定部３２ｐ（図１０）は、ピンの軸線方向から見て、第１第２の固定部３１，３２の回動方向（図８におけるＲ１，Ｒ２方向）およびスライド方向（Ｘ１，Ｘ２方向）に伸び、回動方向一端３２Ｌ１が開口したＬ字形の穴３２Ｌで構成されている。
【００４４】
このように構成すると、第２の固定部３２に対するピン２３を抜かなくても、該ピン２３がＬ字形の穴３２Ｌに沿うように、第１第２の固定部３１，３２をスライドおよび回動させることで第２の固定部３２とそのピンとの係合を解除することができる。
したがって、構造体構築後に第２の固定部３２のピン２３を抜くことが困難になるような場合でも、第１の建築部材１０と第２の建築部材２０との結合を解除することが可能となる。
【００４５】
例えば図８，図９に示すように、第１の建築部材１０と第２の建築部材２０とが結合部材３０で結合されており、さらに図（ａ）に示すように第２の建築部材２０の両側に第３の部材（例えば壁材）６０，６０が配置されている構造の場合、第２の建築部材２０の両側に第３の建築部材６０が配置される前であれば、ピン２３を抜き差しすることができるが、第２の建築部材２０の両側に第３の建築部材６０が配置された後は、ピン２３を抜き差しすることができなくなる。
【００４６】
したがって、このような構造において、図１，図２に示したような結合部材３０を用いたのでは、第３の建築部材６０が配置された後は、結合部材３０と第２の建築部材２０との結合を解除できなくなり、第１の建築部材１０をピン２３の軸方向（矢印Ｙ１，Ｙ２方向へ）移動させることができなくなる。
【００４７】
これに対し、図８，図９に示すようなＬ字形の穴３２Ｌを有する結合部材３０を用いると、図９に示すような結合部材３０と第２の建築部材２０との結合状態から、図８に実線で示すように結合部材３０を矢印Ｘ１方向へスライドさせてＬ字形の穴３２Ｌの開口３２Ｌ１をピン２３に臨ませた後、図８に仮想線で示すように結合部材３０をＲ２方向へ向けて回動させることで、第３の建築部材６０が配置された後でも、結合部材３０と第２の建築部材２０との結合を解除することができ、したがって、第１の建築部材１０をピン２３の軸方向（矢印Ｙ１，Ｙ２方向へ）移動させることができる。
【００４８】
図１１に示す建築構造４０は、左右に伸びる上下の横架材４１，４２と、これら上下の横架材４１，４２を連結する柱４３（または壁材）と、上下の横架材４１，４２と柱４３（または壁材）とで区画される空間４４に、該空間４４を塞ぐように設けられるパネル４５とを備えている。
【００４９】
図１１に示す建築構造では、パネル４５と柱４３（または壁材）とが、またパネル４５と上下の横架材４１，４２とが、上述した結合部材３０を用いた建築用結合構造によって結合されているが、上述した結合部材３０を用いた建築用結合構造は、例えば図１２に示すように、パネル４５と柱４３との結合にのみ用いても良いし、また例えば図１３に示すようにパネル４５と上下の横架材４１，４２との結合にのみ用いても良い。また、例えば図１４に示すように、パネル４５の結合相手は壁材４６とすることもできる。
【００５０】
図１１，図１２に示す構造において、柱４３とパネル４５との関係においては、柱４３が第１の建築部材１０を構成し、パネル４５が第２の建築部材２０を構成するが、逆にすることもできる。図１１，図１３に示す構造おいて、上下の横架材４１，４２とパネル４５との関係においては、パネル４５が第１の建築部材１０を構成し、上下の横架材４１，４２が第２の建築部材２０を構成するが、逆にすることもできる。図１４に示す構造においては、壁材４６が第１の建築部材１０を構成し、パネル４５が第２の建築部材２０を構成するが、逆にすることもできる。
【００５１】
以上のような建築構造４０によれば、少なくとも、パネル４５と柱４３（または壁材４６）とが、またはパネル４５と上下の横架材４１，４２とが、上述した結合部材３０を用いた建築用結合構造によって結合されているので、左右に伸びる上下の横架材４１，４２と、これら上下の横架材４１，４２を連結する柱４３（または壁材４６）とで区画される空間４４に、該空間４４を塞ぐように設けられるパネル４５を容易に取り外し、取り付けることが可能となる。
すなわち、前記上下の横架材４１，４２と柱４３（または壁材４６）とで構成される枠組みを解体することなくパネル４５を交換することが可能となる。
【００５２】
なお、パネル４５は適宜の構造のものを採用することができる。パネル４５は一枚の板でも構成できるが、例えば図１，図１１に示すように、長手方向に延びる面４５ｂ同士を当接させるように隣接させて配置した複数本（図示のものは８本）の角棒材（例えば木製角棒材）４５ｃと、それら複数の木製角棒材４５ｃを、前記長手方向に延びる面４５ｂと直交する方向に貫通する貫通穴４５ｄと、この貫通穴４５ｄに挿通され、前記複数本の木製角棒材４５ｃ同士を締結する金属製ボルト４５ｆとで構成したものとすることもできるし、例えば図１２に示すように、複数本の角材（例えば木材）４５ｇを接着剤４５ｈで接合してなる集成材パネルで構成することもできる。
【００５３】
また、例えば図１５に示すように、上下の横架材４１，４２と柱４３（または壁材）とで区画される空間４４に設けられるパネル４５は複数枚（図示のものは２枚）のパネル４５ｐに分割することができる。このように構成すると、１つの空間４４内に設けられるパネル４５の耐力が必要以上に大きくなることを防止することができる。複数枚のパネル４５ｐ同士は連結しなくても良いし、図示のように結合部材３０で部分的に連結しても良い。
【００５４】
上下の横架材４１，４２と柱４３との連結は、例えば図１１に示すように、連結パイプ４７と、この連結パイプ４７に軸方向と直交方向に設けられた穴に打ち込まれるドリフトピン４７ｐとで行うこともできるが、上述した本発明に係る結合部材３０で行うこともできる。結合部材３０を用いて連結することにより、上下の横架材４１，４２と柱４３との結合解除も容易に行うことができるようになる。
【００５５】
上下の横架材４１，４２と柱４３との連結は、例えば図１６，図１７に示すような連結部材７０を用いて行うこともできる。
連結部材７０は、横架材４２（４１）に固定される第１の固定部７１と、柱４３に固定される第２の固定部７２とを備えている。
【００５６】
第１の固定部７１は、ボルトナット７４で横架材４２（４１）に固定される平板状である。
第２の固定部７２は、第１の固定部７１に一体に立設された平板状のプレートであり、柱４３に予め形成されたスリット４３ｓに対し相対的にスライド進入およびスライド退避可能である。
第２の固定部７２には、該平板に対し直交方向に、柱４３に形成されたピン穴４３ｐに挿入されるピン７３によって柱４３に固定されるピン固定部（穴）７３ｐが設けられている。
【００５７】
このような連結部材７０を用いて横架材４１，４２と柱４３とを連結すると、ピン７３を抜き取ることによって、柱４３が第２の固定部７２に沿って矢印Ｘ１，Ｘ２方向へスライド可能となるので、パネル４５を取り外した後、柱４３を矢印Ｘ１またはＸ２方向にスライドさせ、さらに矢印Ｙ１またはＹ２方向に移動させることによって柱４３を上下の横架材４１，４２の間から取り外すことができる。柱４３には上記Ｘ１，Ｘ２方向へのスライドを許すための、ボルトナット７４の逃がし穴４３ｈが設けられている。
【００５８】
上下の横架材４１，４２と柱４３との連結は、例えば図１８に示すような連結部材８０を用いて行うこともできる。
連結部材８０は、横架材４２（４１）に固定される第１の固定部８１と、柱４３に固定される第２の固定部８２と、第１の固定部８１を横架材４２（４１に固定するための固定用プレート８４とを備えている。
【００５９】
第１第２の固定部８１，８２は一体のプレート状であり、第１の固定部８１には、固定用プレート８４との係合孔８１ｈが設けられている。
第１の固定部８１は、横架材４２（４１）に予め形成された挿入穴４２ｈに挿入され、該挿入穴４２ｈに直交して連通する固定プレート用挿入穴４２ｈ２に挿入される固定用プレート８４を係合孔８１ｈに挿通して係合させることによって、横架材４２（４１）に固定される。
【００６０】
第２の固定部８２は、柱４３に予め形成されたスリット４３ｓに対し相対的にスライド進入およびスライド退避可能である。
第２の固定部８２には、該平板に対し直交方向に、柱４３に形成されたピン穴４３ｐに挿入されるピン８３によって柱４３に固定されるピン固定部（穴）８３ｐが設けられている。
【００６１】
このような連結部材８０を用いて横架材４１，４２と柱４３とを連結すると、ピン８３を抜き取ることによって、柱４３が第２の固定部８２に沿って矢印Ｘ１，Ｘ２方向へスライド可能となるので、パネル４５を取り外した後、柱を矢印Ｘ１またはＸ２方向にスライドさせ、さらに矢印Ｙ１またはＹ２方向に移動させることによって柱４３を上下の横架材４１，４２の間から取り外すことができる。またその後、固定用プレート８４を抜き取ることによって、連結部材８０を横架材４２（４１）から容易に取り外すことができる。
【００６２】
図３，図４，図７に示すように、結合部材３０は、回動中心を構成する、工具５０との係合部３１ｈと、この係合部３１ｈから離間して設けられた、ピンと係脱可能な第１の係合穴３１ｐと、この第１の係合穴３１ｐよりもさらに前記係合部３１ｈから離間して設けられた、ピンと係脱可能な第２の係合穴３２ｐとを有する平板状の結合部材である。
【００６３】
このような結合部材３０によれば、第１の係合穴３１ｐで前記第１の固定部３１を構成でき、第２の係合穴３２ｐで前記第２の固定部３２を構成できるため、平板状の単純な構造で、前記建築用結合構造に適した結合部材を構成することができる。
【００６４】
図３，図４に示すように、第１の係合穴３１ｐと第２の固定部３２の突出防止用ピン固定部３３ｈは、工具５０との係合部３１ｈから等距離に設けられており（Ｌ１＝Ｌ３）、第１の係合穴３１ｐと前記係合部３１ｈとを結ぶ線Ｌ１と、第２の固定部３２の突出防止用ピン固定部３３ｈと前記係合部３１ｈとを結ぶ線Ｌ３とがなす角度が９０度となっている。
【００６５】
このように構成すると、特定のピンに対し、第１の係合穴３１ｐによって第１の固定部３１のピン固定部を構成できると同時に第２の固定部３２の突出防止用ピン固定部３３ｈを好適に構成することができる。
【００６６】
図７に示すように、第２の係合穴３２ｐは、前記工具４０との係合部３１ｈの両側に一対設けられている構成とすることができる。
このように構成すると、簡単な構造で容易に、第１の固定部３１の両側に一対の第２の固定部３２を設けることが可能となる。
【００６７】
図１０に示すように、第２の係合穴３２ｐは、結合部材３０の縁部に一端が開口（開口部を３２Ｌ１で示す）したＬ字形の穴３２Ｌで構成することができる。
このように構成すると、第１第２の固定部３１，３２の回動方向およびスライド方向に伸び、回動方向一端が開口したＬ字形の穴を有する結合部材３０を容易に得ることができる。
このようなＬ字形の穴３２Ｌを有する結合部材３０についても、図１９に示すように、第２の係合穴３２ｐ（３２Ｌ）が、前記工具４０との係合部３１ｈの両側に一対、１８０度回転させた状態で設けられている構成とすることができる。
【００６８】
結合部材３０は、鉄、ステンレス等の金属で構成することができる。
【００６９】
以上、本発明の実施の形態について説明したが、本発明は上記の実施の形態に限定されるものではなく、本発明の要旨の範囲内において適宜変形実施可能である。
例えば、
図２０，図２２に示すように、パネル４５は、複数本の角材４５ｃをボルトではなく、プレート９０で連結した構造とすることができる。この場合、図２２に示すように、複数の角材４５ｃにこれら角材を連ねるスリット４５ｃ１を設け、そのスリット４５ｃ１にプレート９０挿入し、角材４５ｃとプレート９０とをピン９１で固定する構造とすることもできるし、図２３に示すように、複数本の角材４５ｃの表面にプレート９０を配置し、プレート９０と角材４５ｃとをビス９２等で固定する構造とすることもできる。
複数の角材４５ｃを連結するプレート９０の個数は任意であり、図２０に示すように複数の角材４５ｃの上下にのみ設けてもよいし、図２１に示すように、上下の他、中間部にも設けてもよい。
プレート９０は、金属プレートだけでなく、合板や樹脂プレートで構成することができる。また、外部に張り付ける場合には、グラスファイバーシートや炭素繊維強化シート等をプレート９０として複数本の角材４５ｃに接着して連結させることもできる。プレート９０を複数本の角材４５ｃの表面に配置する（貼り付ける場合を含む）構造は、それほど大きな強度を必要としない壁（パネル）を構成する場合に有効であり、パネルの生産コストを下げることができる。
角材４５ｃは木材に限らず他の適宜の材料、例えば合成樹脂等で構成することもできる。
図２１，図２２，および図２４に示すように、上下の横架材４１，４２と柱４３との連結は、同図に示すような連結部材１００を用いて行うこともできる。
連結部材１００は、横架材４２（４１）に固定される第１の固定部１０１と、柱４３に固定される第２の固定部１０２とを備えている。
第１第２の固定部１０１，１０２は一体のプレート状である。
第１の固定部１０１は、横架材４２（４１）に予め形成された挿入穴４２ｈに挿入され、該挿入穴４２ｈに直交して連通するピン穴４２ｐに挿入されるピン１０３によって、横架材４２（４１）に固定される。
なお、図示の第１の固定部１０１には、横架材４２（４１）に梁受け金物１１０がボルト１１１で固定される場合に、そのボルト１１１との干渉を避けるための凹所（切り欠き）１０４が形成され、第１の固定部１０１は二又状となっているが、梁受け金物１１０が設けられない場合には、凹所（切り欠き）１０４は設ける必要はなく、第１の固定部１０１は単純な矩形状とすることができる。
第２の固定部１０２は、柱４３に予め形成されたスリット４３ｓに対し相対的にスライド進入およびスライド退避可能である。
第２の固定部８２には、該平板に対し直交方向に、柱４３に形成されたピン穴４３ｐに挿入されるピン１０３によって柱４３に固定されるピン固定部（穴）１０２ｐが設けられている。
このような連結部材１００を用いて横架材４１，４２と柱４３とを連結すると、ピン１０３を抜き取ることによって、柱４３が第２の固定部１０２に沿って矢印Ｘ１，Ｘ２方向へスライド可能となるので、パネル４５を取り外した後、柱４３を矢印Ｘ１またはＸ２方向にスライドさせ、さらに矢印Ｙ１またはＹ２方向に移動させることによって柱４３を上下の横架材４１，４２の間から取り外すことができる。またその後、横架材４２（４１）からピン１０３を抜き取ることによって、連結部材１００を横架材４２（４１）から容易に取り外すことができる。
【符号の説明】
【００７０】
１０：    第１の建築部材
１１：    第１のスリット
１２：    ピン穴
１３：    挿通口
２０：    第２の建築部材
２１：    スリット（第２のスリット）
２２：    ピン穴
２３：    ピン
３０：    結合部材
３１：    第１の固定部
３１ｈ：  係合穴
３１ｐ：  ピン固定部
３２：    第２の固定部
３２Ｌ：  Ｌ字形
３２Ｌ１：  開口
３２ｐ：  ピン固定部
３３：    突出防止手段
３３ｈ：  突出防止用ピン固定部
４１，４２：  上下の横架材
４４：    空間
４５：    パネル
４３：    柱
４６：    壁材
５０：    工具
【図１】
0006622554.tif 000002
【図２】
0006622554.tif 000003
【図３】
0006622554.tif 000004
【図４】
0006622554.tif 000005
【図５】
0006622554.tif 000006
【図６】
0006622554.tif 000007
【図７】
0006622554.tif 000008
【図８】
0006622554.tif 000009
【図９】
0006622554.tif 000010
【図１０】
0006622554.tif 000011
【図１１】
0006622554.tif 000012
【図１２】
0006622554.tif 000013
【図１３】
0006622554.tif 000014
【図１４】
0006622554.tif 000015
【図１５】
0006622554.tif 000016
【図１６】
0006622554.tif 000017
【図１７】
0006622554.tif 000018
【図１８】
0006622554.tif 000019
【図１９】
0006622554.tif 000020
【図２０】
0006622554.tif 000021
【図２１】
0006622554.tif 000022
【図２２】
0006622554.tif 000023
【図２３】
0006622554.tif 000024
【図２４】
0006622554.tif 000025